(57)【要約】【課題】  利用者の待ち時間を短くして退屈感を払拭でき、しかも利用者の回転率を向上でき、撮影と落書きを同時に進行して手軽に楽しめるようにした写真シール払出装置及びその制御方法を提供する。【解決手段】  カメラ５ａ及び被写体の写真を表示する落書きパネル９が同一空間に配設され、落書きツール９３の操作により、落書きパネル９の落書き画面領域９１ａ，９１ｂに表示される写真に対して所定の文字や図家等が入力されて編集用画像が作成されると、表示中の写真に編集用画像が重畳描画されてプリンタ２９によりシール台紙に印刷される。このとき、コントローラ部１３の制御により、カメラ５ａによる２枚目以降の撮影処理と、落書きパネル９側での編集処理とが並行して進行される。【選択図】  図２
2005164976.tif 000002
【特許請求の範囲】
【請求項１】
硬貨投入口への所定代金の硬貨投入により起動して１回の遊戯が開始し、被写体を撮影して得られる被写体画像に必要な編集を施して印刷手段によりシール台紙に印刷してシール取出口へ排出する写真シール払出装置において、
１回の遊戯につき複数回被写体を撮影する撮影手段と、
前記撮影手段と同一空間に配設され前記撮影手段により撮影された被写体の写真データが転送されこの転送された写真データに基づく写真を表示する表示手段と、
前記表示手段に表示される前記写真に対する前記編集用の文字や図形等の編集画像を入力する入力手段と、
前記表示手段に表示される前記写真に対して、前記入力手段により入力される前記編集画像を重畳描画して編集を施す編集手段と、
前記撮影手段による１枚目の写真の撮影後、前記撮影手段による２枚目以降の撮影処理と、前記撮影手段から転送される写真データに基づき前記表示手段に表示される写真に対する前記入力手段及び前記編集手段による編集処理とを並行して進行可能に前記撮影手段、前記入力手段及び前記編集手段を制御する制御手段と
を備えていることを特徴とする写真シール払出装置。
【請求項２】
前記撮影手段による２枚目以降の前記撮影処理と前記編集処理とが、ほぼ同時期に遂行されるものであることを特徴とする請求項1に記載の写真シール払出装置。
【請求項３】
前記撮影手段による２枚目以降の前記撮影処理と前記編集処理とが、異なる利用者により遂行されるものであることを特徴とする請求項２に記載の写真シール払出装置。
【請求項４】
前記撮影手段による２枚目以降の前記撮影処理と前記編集処理とが、時期をずらして択一的に遂行されるものであることを特徴とする請求項1に記載の写真シール払出装置。
【請求項５】
仕切り部材により周囲を仕切って形成された１つの空間に、前記撮影手段と、前記表示手段及び前記入力手段とが配置されていることを特徴とする請求項１ないし４のいずれかに記載の写真シール払出装置。
【請求項６】
前記入力手段が、前記撮影手段から離れた位置であって前記撮影手段の画角外に配置されていることを特徴とする請求項１ないし５のいずれかに記載の写真シール払出装置。
【請求項７】
前記入力手段が、前記撮影手段の配置面と同じ面に配設されていることを特徴とする請求項１ないし６のいずれかに記載の写真シール払出装置。
【請求項８】
前記入力手段及び前記撮影手段が配置された配置面が、湾曲した曲面を成していることを特徴とする請求項７に記載の写真シール払出装置。
【請求項９】
前記撮影手段が配置された第１の配置面と、前記入力手段が配置された第２の配置面とが、それぞれ互いに交わる２つの異なる平面を成していることを特徴とする請求項１ないし６のいずれかに記載の写真シール払出装置。
【請求項１０】
硬貨投入口への所定代金の硬貨投入により起動して１回の遊戯が開始し、被写体を撮影して得られる被写体画像に必要な編集を施して印刷手段によりシール台紙に印刷してシール取出口へ排出する写真シール払出装置の制御方法において、
撮影手段により、１回の遊戯につき複数回被写体を撮影する撮影工程と、
前記撮影手段と同一空間に配設された表示手段により、前記撮影手段によって撮影されて転送される被写体の写真データに基づく写真を表示手段に表示する表示工程と、
入力手段により入力される前記編集用の文字や図形等の編集画像を、編集手段により、前記表示工程で表示される前記写真に対して、重畳描画して編集を施す編集工程と
を備え、
前記撮影手段による１枚目の写真の撮影後、前記撮影手段による２枚目以降の前記撮影処理と、前記撮影手段から転送される写真データに基づき前記表示手段に表示される写真に対する前記編集工程での編集処理とを並行して進行するように制御することを特徴とする写真シール払出装置の制御方法。
【請求項１１】
前記撮影手段による２枚目以降の前記撮影処理と前記編集処理とが、ほぼ同時期に遂行されることを特徴とする請求項１０に記載の写真シール払出装置の制御方法。
【請求項１２】
前記撮影手段による２枚目以降の前記撮影処理と前記編集処理とが、異なる利用者により遂行されることを特徴とする請求項１１に記載の写真シール払出装置の制御方法。
【請求項１３】
前記撮影手段による２枚目以降の前記撮影処理と前記編集処理とが、時期をずらして択一的に遂行されることを特徴とする請求項１０に記載の写真シール払出装置の制御方法。
【請求項１４】
仕切り部材により周囲を仕切って形成された１つの空間において、前記撮影処理と前記編集処理とが並行して進行されることを特徴とする請求項１０ないし１３のいずれかに記載の写真シール払出装置の制御方法。
【請求項１５】
前記撮影手段の画角外に、前記編集処理のためのスペースが確保されていることを特徴とする請求項１０ないし１４のいずれかに記載の写真シール払出装置の制御方法。
【発明の詳細な説明】
【技術分野】
【０００１】
この発明は、硬貨投入口への硬貨投入により起動し、被写体を撮影して得られる被写体画像に必要な編集を施して印刷手段によりシール台紙に印刷する写真シール払出装置及びその制御方法に関するものである。
【背景技術】
【０００２】
従来、１人あるいは複数の友人同士で撮影した画像に、好みの文字や図形等を書き込んだ合成画像をシール台紙に印刷して払い出す写真シール払出装置が、若年層を中心として話題を集め、遊技場を始めとする各所に設置されている。この種の装置では、利用者が所望の文字や図形を書き込む（以下では、かかる書き込みを「落書き」とも称する）ために、画像が表示される表示画面（モニタ）に対して落書き用のタッチペンを複数設け、複数の利用者がそれぞれタッチペンによる入力を行えるようにすることで、複数の利用者が同時に操作できるようにしている。
【０００３】
しかし、このように複数のタッチペンを設けても、撮影した被写体画像を表示する画面と、その被写体画像に対して落書きをするための画面とが、同一のモニタ上で行われる構成であるため、次の遊技の順番待ちをしている利用者がある場合には、先の利用者が撮影から落書き、印刷までの処理を終了するまで、待っていなければならず、順番待ちの利用者は待っている時間にすることがなく退屈感を覚えてしまうという問題点があった。
【０００４】
更に、装置を管理する管理者側の立場からは、利用者が順番待ちする時間が多くなればなるほど利用者の回転率が低下するため、収益率の向上を望むことができなくなるという問題点もあった。一方、利用者の回転率を上げるために、遊技時間を短くすることも考えられるが、実質的に落書きを行う時間が制限されることから、利用者にとって興味が半減してしまうという新たな不都合が生じる。
【０００５】
ところで、従来、第１の表示手段により表示される被写体の画像を撮影する撮影空間と、第２の表示手段により表示される被写体の画像を編集する編集空間とを異なる位置に設けることが提案されている（特許文献１参照）。
【０００６】
【特許文献１】登録実用新案公報第３０８３２５５号公報（段落[０００８]〜[０００９]、図１参照）
【発明の開示】
【発明が解決しようとする課題】
【０００７】
しかしながら、上記した撮影空間と編集空間とを設ける従来装置の場合、編集空間において編集する対象が被写体画像であるため、利用者は撮影した後でなければ編集作業を行うことができず、撮影空間に入るまでの待ち時間における退屈感を払拭することはできない。
【０００８】
しかも、撮影後の編集空間における落書きに長時間をかける利用者がいた場合には、撮影空間で撮影を終了した利用者は、先に編集空間に入っている利用者が落書きを終えるのを待っていなければならず、このときに長い待ち時間が発生するため、ただ単に撮影空間と編集空間とを異ならせるだけでは、利用者の回転率を上げることができず、収益率の向上を図ることができないおそれがある。
【０００９】
また、利用者の利用形態も様々に変化してきており、例えば複数回数の撮影が可能であることを有効に利用し、複数の利用者が交代で撮影と落書きを同時に進行して楽しむといったことも行われているが、従来の空間分離型の装置では撮影空間と編集空間との間の移動が煩わしく、このような利用形態に対して効率よく対応することは困難であった。
【００１０】
そこで、本発明は、利用者の待ち時間を短くして退屈感を払拭でき、しかも利用者の回転率を向上でき、撮影と落書きを同時に進行して手軽に楽しめるようにした写真シール払出装置及びその制御方法を提供することを目的とする。
【課題を解決するための手段】
【００１１】
上記した課題を解決するために、請求項1に記載の写真シール払出装置は、硬貨投入口への所定代金の硬貨投入により起動して１回の遊戯が開始し、被写体を撮影して得られる被写体画像に必要な編集を施して印刷手段によりシール台紙に印刷してシール取出口へ排出する写真シール払出装置において、１回の遊戯につき複数回被写体を撮影する撮影手段と、前記撮影手段と同一空間に配設され前記撮影手段により撮影された被写体の写真データが転送されこの転送された写真データに基づく写真を表示する表示手段と、前記表示手段に表示される前記写真に対する前記編集用の文字や図形等の編集画像を入力する入力手段と、前記表示手段に表示される前記写真に対して、前記入力手段により入力される前記編集画像を重畳描画して編集を施す編集手段と、前記撮影手段による１枚目の写真の撮影後、前記撮影手段による２枚目以降の撮影処理と、前記撮影手段から転送される写真データに基づき前記表示手段に表示される写真に対する前記入力手段及び前記編集手段による編集処理とを並行して進行可能に前記撮影手段、前記入力手段及び前記編集手段を制御する制御手段とを備えていることを特徴としている。
【００１２】
また、請求項２に記載の写真シール払出装置は、前記撮影手段による２枚目以降の前記撮影処理と前記編集処理とが、ほぼ同時期に遂行されるものであることを特徴としている。
【００１３】
また、請求項３に記載の写真シール払出装置は、前記撮影手段による２枚目以降の前記撮影処理と前記編集処理とが、異なる利用者により遂行されるものであることを特徴としている。
【００１４】
また、請求項４に記載の写真シール払出装置は、前記撮影手段による２枚目以降の前記撮影処理と前記編集処理とが、時期をずらして択一的に遂行されるものであることを特徴としている。
【００１５】
また、請求項５に記載の写真シール払出装置は、仕切り部材により周囲を仕切って形成された１つの空間に、前記撮影手段と、前記表示手段及び前記入力手段とが配置されていることを特徴としている。
【００１６】
また、請求項６に記載の写真シール払出装置は、前記入力手段が、前記撮影手段から離れた位置であって前記撮影手段の画角外に配置されていることを特徴としている。
【００１７】
また、請求項７に記載の写真シール払出装置は、前記入力手段が、前記撮影手段の配置面と同じ面に配設されていることを特徴としている。
【００１８】
また、請求項８に記載の写真シール払出装置は、前記入力手段及び前記撮影手段が配置された配置面が、湾曲した曲面を成していることを特徴としている。
【００１９】
また、請求項９に記載の写真シール払出装置は、前記撮影手段が配置された第１の配置面と、前記入力手段が配置された第２の配置面とが、それぞれ互いに交わる２つの異なる平面を成していることを特徴としている。
【００２０】
また、請求項１０に記載の写真シール払出装置の制御方法は、硬貨投入口への所定代金の硬貨投入により起動して１回の遊戯が開始し、被写体を撮影して得られる被写体画像に必要な編集を施して印刷手段によりシール台紙に印刷してシール取出口へ排出する写真シール払出装置の制御方法において、撮影手段により、１回の遊戯につき複数回被写体を撮影する撮影工程と、前記撮影手段と同一空間に配設された表示手段により、前記撮影手段によって撮影されて転送される被写体の写真データに基づく写真を表示手段に表示する表示工程と、入力手段により入力される前記編集用の文字や図形等の編集画像を、編集手段により、前記表示工程で表示される前記写真に対して、重畳描画して編集を施す編集工程とを備え、前記撮影手段による１枚目の写真の撮影後、前記撮影手段による２枚目以降の前記撮影処理と、前記撮影手段から転送される写真データに基づき前記表示手段に表示される写真に対する前記編集工程での編集処理とを並行して進行するように制御することを特徴としている。
【００２１】
また、請求項１１に記載の写真シール払出装置の制御方法は、前記撮影手段による２枚目以降の前記撮影処理と前記編集処理とが、ほぼ同時期に遂行されることを特徴としている。
【００２２】
また、請求項１２に記載の写真シール払出装置の制御方法は、前記撮影手段による２枚目以降の前記撮影処理と前記編集処理とが、異なる利用者により遂行されることを特徴としている。
【００２３】
また、請求項１３に記載の写真シール払出装置の制御方法は、前記撮影手段による２枚目以降の前記撮影処理と前記編集処理とが、時期をずらして択一的に遂行されることを特徴としている。
【００２４】
また、請求項１４に記載の写真シール払出装置の制御方法は、仕切り部材により周囲を仕切って形成された１つの空間において、前記撮影処理と前記編集処理とが並行して進行されることを特徴としている。
【００２５】
また、請求項１５に記載の写真シール払出装置の制御方法は、前記撮影手段の画角外に、前記編集処理のためのスペースが確保されていることを特徴としている。
【発明の効果】
【００２６】
請求項１，１０に記載の発明によれば、被写体を撮影する撮影手段、及び、被写体の写真を表示する表示手段が同一空間に配設され、入力手段により、表示手段に表示される写真に対して所定の文字や図家等が入力されて編集用画像が作成されると、編集手段により、表示手段に表示される被写体の写真に対して編集用画像が重畳描画され、印刷手段により、編集用画像が重畳描画された写真がシール台紙に印刷される。このとき、制御手段の制御により、撮影手段による２枚目以降の撮影処理と、編集手段による編集処理または編集工程での編集処理とが並行して進行される。
【００２７】
このように、２枚目以降の撮影処理と編集処理とが並行して進行されるため、１回の遊戯に要する時間、つまり撮影に要する時間と編集に要する時間の合計時間を短縮することができ、利用者の回転率の向上を図ることができ、次の遊戯を待っている利用者の待ち時間を短くしてその利用者が屈感を覚えることを防止でき、装置管理者の収益率の向上をも図ることができる。
【００２８】
請求項２，１１に記載の発明によれば、撮影手段による２枚目以降の前記撮影処理と前記編集処理とが、ほぼ同時期に遂行される。このとき、請求項３，１２に記載のように、撮影手段による２枚目以降の撮影処理と編集処理とが、異なる利用者により遂行されてもよい。
【００２９】
そのため、撮影と落書き（編集）を同時に進行して手軽に楽しめる写真シール払出装置及びその制御方法を提供することができる。
【００３０】
請求項４，１３に記載の発明によれば、撮影手段による２枚目以降の撮影処理と編集処理とが、時期をずらして択一的に遂行されるため、同一の遊戯者が２枚目以降の撮影処理と編集処理と交互もしくは片方ずつを順不同に楽しむことができる。
【００３１】
請求項５に記載の発明によれば、撮影手段、表示手段及び入力手段が同一の空間に配置される。そのため、利用者は、従来のように異なる撮影空間と編集空間との間を移動する煩わしさがなく、遊戯を楽しむことができる。
【００３２】
請求項６に記載の発明によれば、入力手段が、撮影手段から離れた位置であって撮影手段の画角外に配置されている。そのため、編集作業を行う利用者は撮影の邪魔になることがなく、１つの空間を撮影と編集の並行処理に効率よく利用することができる。
【００３３】
請求項７に記載の発明によれば、入力手段が、撮影手段の配置面と同じ面に配設されている。そのため、編集作業を行う利用者は、撮影の邪魔になることなく編集処理を撮影と並行して実行することができる。
【００３４】
請求項８に記載の発明によれば、入力手段及び撮影手段が配置された配置面が、湾曲した曲面を成している。そのため、編集作業を行う利用者は、撮影の邪魔になることなく編集処理を撮影と並行して実行することができる。
【００３５】
請求項９に記載の発明によれば、撮影手段が配置された第１の配置面と、入力手段が配置された第２の配置面とが、それぞれ互いに交わる２つの異なる平面を成している。そのため、編集作業を行う利用者は、撮影の邪魔になることなく編集処理を撮影と並行して実行することができる。
【００３６】
請求項１４に記載の発明によれば、仕切り部材により周囲を仕切って形成された１つの空間において、撮影処理と編集処理とが並行して進行される。そのため、利用者は、従来のように異なる撮影空間と編集空間との間を移動する煩わしさがなく、遊戯を楽しむことができる。
【００３７】
請求項１５に記載の発明によれば、撮影手段の画角外に、編集処理を行う利用者用スペースが確保されている。そのため、編集作業を行う利用者は、撮影の邪魔になることなく編集処理を撮影と並行して実行することができる。
【発明を実施するための最良の形態】
【００３８】
この発明の一実施形態について図１ないし図４を参照して説明する。但し、図１は装置の概略構成図、図２は一部の概略図、図３は制御系のブロック図、図４は動作説明用フローチャートである。
【００３９】
図１に示すように、本実施形態における写真シール払出装置１は、仕切り部材により平面視ほぼ長方形状に形成された装置本体３内部の空間に撮影ユニット５、ディスプレイをそれぞれ有するメインパネル７及び落書きパネル９等が配設されて構成されている。
【００４０】
ここで、撮影ユニット５及びメインパネル７、並びに、落書きパネル９は平面状の同一配置面、つまり装置本体３内の正面に配設されている。但し、図１中に１点鎖線で示す撮影ユニット５のカメラの画角外に落書きパネル９が位置するように配設されており、落書きパネル９を操作する利用者が撮影ユニット５による撮影の邪魔にならないような配置になっている。
【００４１】
ところで、図１に示すように、撮影ユニット５は装置本体３内部の正面ほぼ中央に配設され、図２に示すように、撮影手段であるＣＣＤデジタルカメラ（以下、単にカメラと称する）５ａ及びこのカメラ５ａにより捉えられている画像をモニタするためのＬＣＤ等から成る撮影モニタ５ｂを備えている。
【００４２】
そして、撮影ユニット５は、所定の範囲内で撮影方向を上下左右に可動自在となっており、利用者が上記した写真の構図を自由に設定できるようになっている。即ち、撮影ユニット５のカメラ５ａは、後述する撮影ユニット駆動部（図２参照）に取り付けられていて、後述するコントローラ部（図２参照）からの指令に基づいて撮影ユニット駆動部がカメラ５ａを駆動することにより、カメラ５ａの撮影方向の可変設定が行われる。
【００４３】
更に、撮影ユニット５の下方にはタッチパネル構成のメインパネル７が配設され、シャッタ操作に基づきカメラ５ａにより撮影された被写体画像が、図２、図３（ａ）に示すように、メインパネル７のほぼ左半部に設けられたメイン画面領域７１に表示されるようになっている。尚、メインパネル７のメイン画面領域７１以外の領域には、撮影等に関する種々のボタン画像から成る選択ボタン部７３が設けられている。
【００４４】
このメインパネル７には、陰極線管式、液晶ディスプレイ、リアプロジェクション式を採用すればよく、その他にも種々の方式が考えられるが、これら及びそれ以外のいずれの方式を採用してもよい。
【００４５】
選択ボタン部７３には、図３（ａ）に示すように、写真に写し込むフレームを選択するためのフレーム切替ボタン７３ａ、被写体の背景画像を選択するための背景切替ボタン７３ｂ、カメラ５ａによる撮影を開始するための撮影開始ボタン７３ｃ、落書きに供する写真を転送するための落書き転送ボタン７３ｄが設けられている。尚、図３（ａ）に示すように、メインパネル７の右下隅部には、遊戯の残り時間をカウントしてその結果を表示する残り時間表示部７５が設けられている。
【００４６】
また、図１に示すように、タッチパネル構成の落書きパネル９が装置本体３内部のメインパネル７に向かって左側に配設され、図２、図３（ｂ）に示すように、落書きパネル９には一対の落書き画面領域９１ａ，９１ｂが設けられ、両落書き画面領域９１ａ，９１ｂそれぞれに、撮影ユニット５により撮影されて転送されてくる写真が表示されるようになっており、両落書き画面領域９１ａ，９１ｂにより表示手段が構成されている。また、図３（ｂ）に示すように、落書きパネル９の落書き画面領域９１ａ，９１ｂ周辺には入力手段としての落書きツール９３が設けられ、この落書きツール９３を使って、落書き画面領域９１ａ，９１ｂに表示される写真に対して落書きが行なわれる。
【００４７】
この落書きパネル９には、陰極線管式、液晶ディスプレイ、リアプロジェクション式を採用すればよく、その他にも種々の方式が考えられるが、これら及びそれ以外のいずれの方式を採用してもよい。
【００４８】
この落書きツール９３は、「ハートマーク」、「星型マーク」、「三日月マーク」や「十字架マーク」といった種々の飾りマークのマーク選択、これらのマークの表示色や背景その他の色を選択する色選択、その他落書きのための様々なツール画像が表示されており、利用者が所望のツール画像に指でタッチして選択すると、選択されたツール画像に対応する機能が実行されて、こうして落書き画面領域９１ａ，９１ｂに表示された写真に対する落書きが行なわれるようになっている。
【００４９】
尚、図３（ｂ）に示すように、落書きパネル９の両落書き画面領域９１ａ，９１ｂの上部には撮影ユニット５により撮影されて落書き用に転送されてきた複数（ここでは、７枚分）の写真をモニタ表示するキープ写真表示部９５が設けられると共に、落書きパネル９の右下隅部には、遊戯の残り時間をカウントしてその結果を表示する残り時間表示部９７が設けられ、メインパネル５の残り時間表示部７５に表示される残り時間と同じ数値が表示される。
【００５０】
ここで、メインパネル７のメイン画面領域７１には撮影作業のための操作手順を表わすメッセージが表示され、落書きパネル９の落書き画面領域９１ａ，９１ｂには編集作業のためのメニューやその他の操作メニューが表示されるようになっている。
【００５１】
ところで、装置本体３内部には、利用者に規定の遊戯料金を投入させるための硬貨投入口（図示せず）、及び装置の管理者がこれを取り出して集金するための硬貨取出口（図示せず）が設けられると共に、例えば撮影ユニット５の周辺や装置本体３内部の正面下部等の複数箇所には、鮮明な写真を撮影するために必要な露光量を確保するための蛍光灯及びその駆動用インバータ回路等から成る照明光源（図示せず）、音声による操作案内や背景音楽等を流すためのスピーカ（図示せず）がそれぞれ配設されている。尚、上記した複数の照明光源のほかに、撮影時に影をなくすために点滅駆動されるストロボ（図示せず）も装置本体３内部に配設されている。
【００５２】
次に、この写真シール払出装置１の制御系の構成について図２を参照して説明すると、図２に示すように、コントローラ部１３には、制御手段としてのＣＰＵ１５が設けられており、このＣＰＵ１５が、予め設定されたプログラムを実行して装置各部を制御している。また、コントローラ部１３には、ＣＰＵ１５が実行すべきプログラムや装置の動作状態を一時記憶するメモリ１７および画像データを記憶するためのハードディスク（ＨＤ）装置１９が設けられている。
【００５３】
更に、図２に示すように、コントローラ部１３には、カメラ５ａからの画像データを受け付けてデジタル信号に変換するための画像入力部２１が設けられ、メインパネル７に撮像した被写体画像を表示させたり、落書きパネル９に編集のための画像を表示させるための表示処理部２３が設けられている。
【００５４】
また、図２に示すように、コントローラ部１３には、メインパネル７の選択ボタン部７３や落書きパネル９の落書きツール９３からのタッチ位置情報を処理する入力処理部２５が設けられると共に、撮影された被写体写真や編集用画像を重ね合わせた合成画像を生成するための画像処理部２７が設けられ、印刷手段であるプリンタ２９に対する制御信号および画像信号を出力する画像出力部３１が設けられており、これら各機能ブロックが内部バス３３を介して相互に接続されている。ここで、入力処理部２５及び画像処理部２７が、本発明における編集手段に相当する。
【００５５】
尚、プリンタ２９は、所定のシール台紙に等分割した状態で複数の写真を印刷したり、或いは、異なる大きさの領域に分割された状態で複数の写真を印刷するように制御され、シール台紙を等分割するか否かは利用者の選択により決定されるようになっている。但し、異なる大きさの領域に分割する場合、所定の分割パターンが予め複数準備されており、利用者は所望のパターンを選択することになる。
【００５６】
ところで、図２に示すように、上記した複数の照明光源及びストロボを駆動する照明駆動部３５が設けられ、この照明駆動部３５がコントローラ部１３のＣＰＵ１５により制御される。更に、硬貨処理部３７が設けられ、上記した硬貨投入口から投入された硬貨の金額を検出して所定代金を検出したときに、硬貨処理部３７によってＣＰＵ１５にその旨が通知される。
【００５７】
また、撮影ユニット駆動部４１が設けられ、利用者の操作に基づき撮影ユニット駆動部４１がＣＰＵ１５により制御されて、撮影ユニット５のカメラ５ａが所定範囲内で上下方向に移動され、カメラ５ａの仰角・俯角が可変され、カメラ５ａのズーム調整が行われ、カメラ５ａの撮影時の構図設定が利用者の操作に応じて行われる。
【００５８】
尚、図２に示すように、コントローラ部１３にはタイマ４３が設けられ、利用者が硬貨を投入し遊戯を開始してからの残り遊戯時間を計時し、メインパネル７の残り時間表示部７５及び落書きパネル９の残り時間表示部９７に残り遊戯時間データを出力する。ここで、遊戯時間は例えば１回の遊戯につき６分など、予め設定されており、タイマ４３は設定された時間をダウンカウントして残り遊戯時間を計時する。また、図２には示されていないが、音声合成部がコントローラ部１３のＣＰＵ１５により制御され、上記したスピーカから音声による操作案内や背景音楽等が出力される。
【００５９】
そして、このような構成のコントローラ部１３、特にＣＰＵ１５の特徴的な機能について説明すると、１枚目の写真の撮影が終了し、その写真のデータが利用者の落書き転送ボタン７３ｄの操作により落書きパネル９側への転送が終了すると、撮影ユニット５及びメインパネル７による２枚目以降の撮影処理を実行すべく各部の制御を行い、落書きパネル９側での編集処理をこの撮影処理に並行して進行可能にすべく各部の制御を行う。即ち、撮影を楽しむ利用者と落書きを楽しむ利用者とが分かれて各々の処理を交互に遂行することができ、撮影した写真に対して他の利用者が落書きを楽しむといった遊戯形態を実行することが可能である。
【００６０】
このような、特徴的な動作について図４のフローチャート参照して詳細に説明する。いま、図４に示すように、硬貨投入口に規定金額の硬貨が投入されて遊戯スタートすると、撮影ユニット５による初回（１枚目）の撮影が行われたか否かの判定がなされ（Ｓ１）、この判定結果がＮＯであればＹＥＳになるまでこの判定が繰り返され、撮影を楽しむ利用者によりメインパネル７の撮影開始ボタン７３ｃの操作により撮影が行われて、ステップＳ１の判定結果がＹＥＳになると（Ｓ１のＹＥＳ）、以後の処理は２つに分かれて並行して進行する。
【００６１】
まず一方の処理として、撮影された１枚目の写真データがコントローラ部１３に取り込まれ（Ｓ２）、その後取り込まれた写真データがステップＳ１で撮影されコントローラ部１３を経て落書きパネル９に転送され、転送されてきた写真データに基づく写真が落書きパネル９の一方の落書き画面領域９１ａ（または９１ｂ）に表示されて落書き画面の作成が行われる（Ｓ３）。
【００６２】
そして、落書きを楽しむ利用者による落書きツール９３の操作により、落書き画面領域９１ａに表示されている写真に対して所望の落書きが行われると、落書きツール９３の操作に基づく編集用画像が作成されて編集処理が実行される（Ｓ４）。
【００６３】
ステップＳ１で分かれた他方の処理では、撮影を楽しむ利用者による撮影開始ボタン７３ｃの操作の待機状態となり（Ｓ５）、撮影開始ボタン７３ｃの操作があれば、２枚目以降の写真の撮影処理が実行され（Ｓ６）、撮影された写真データがコントローラ部１３に取り込まれ（Ｓ７）、その写真が利用者にとって必要か不要かの選択待ち状態となる（Ｓ８）。このとき、撮影を楽しむ利用者は、１枚目の撮影を行った利用者と異なる場合もある。
【００６４】
このステップＳ８の処理において「不要」が選択されると、取り込まれた写真データは直ちに消去されて上記したステップＳ５に戻って次の撮影に備えられる一方、ステップＳ８の処理において「必要」が選択されると、取り込まれた写真データが、落書き画面領域９１ｂ（または９１ａ）に表示すべく落書きパネル９に転送され（Ｓ９）、タイマ４３により計時される残り遊戯時間がゼロか否かの判定がなされ（Ｓ１０）、この判定結果がＮＯであれば上記したステップＳ５に戻り、判定結果がＹＥＳであればステップＳ１２に移行する。
【００６５】
ところで、落書きパネル９側では、コントローラ１３を経て写真データが転送されてくると、その写真データに基づく写真がキープ写真表示部９５に表示され（図３（ｂ）参照）、落書きを楽しむ利用者が、キープ写真表示部９５に表示される写真のなかから好きな写真を選択すると、選択された写真が落書き済みの写真に代わり落書き画面領域９１ａ（または９１ｂ）に表示されて落書きを楽しむことが可能になり、こうして落書きが終了すると（ステップＳ１１）、ステップＳ１２に移行する。
【００６６】
そして、ステップＳ１２において、利用者により印刷すべき写真が選択され（Ｓ１２）、シール台紙をどのように分割するか準備されたパターンから所望のものが選択されると（Ｓ１３）、プリンタ２９による印刷処理が行われ（Ｓ１４）、その後動作は終了する。
【００６７】
このように、１枚目の写真が撮影されると、その写真データが落書きパネル９側に転送されて落書きが可能になる。その後、コントローラ部１３の制御によって、撮影を楽しむ利用者による２枚目以降の撮影と、落書きを楽しむ利用者による落書きとが並行して進行可能になる。
【００６８】
従って、上記した実施形態によれば、２枚目以降の撮影処理と編集処理とが並行して進行されるため、１回の遊戯に要する時間、つまり撮影に要する時間と編集に要する時間の合計時間を短縮することができ、利用者の回転率の向上を図ることができる。その結果、次の遊戯を待っている利用者の待ち時間を短くしてその利用者が退屈感を覚えることを防止でき、しかも装置管理者の収益率の向上をも図ることができる。
【００６９】
なお、本発明は上記した実施形態に限定されるものではなく、その趣旨を逸脱しない限りにおいて上述したもの以外に種々の変更を行うことが可能である。
【００７０】
上記した実施形態では、撮影ユニット５による２枚目以降の撮影処理と編集処理とが、ほぼ同時期に遂行される場合について説明したが、撮影ユニット５よる２枚目以降の撮影処理と編集処理とが時期をずらして択一的に遂行されるように制御し、同一の遊戯者（同一グループ）が２枚目以降の撮影処理と編集処理と交互もしくは片方ずつを順不同に楽しむことができるようにしても構わない。
【００７１】
具体的には、２枚目の撮影をして編集をし、その後３枚目の撮影をして編集を行う場合や、或いは、２枚目、３枚目の撮影を続けた後にまとめて編集を行う場合などである。
【００７２】
また、上記した実施形態では、撮影ユニット５及びメインパネル７、並びに、落書きパネル９は平面状の同一配置面（装置本体３内の正面）に配設されている場合について説明したが、例えば、図５に示すように、撮影ユニット５及びメインパネル７の配置面と、落書きパネル９の配置面とがほぼ直交していても構わない。但しこの場合においても、落書きパネル９を操作する利用者が撮影ユニット５による撮影の邪魔にならないように、撮影ユニット５のカメラの画角外に落書きパネル９が位置するように配設されている。
【００７３】
更に、図６、図７に示すように、例えば撮影を楽しむ利用者は装置本体３内に一段高く設置された台座５１の上に乗って撮影し、落書きを楽しむ利用者はカメラ５ａの画角の下方に位置して撮影の邪魔にならないような配置にしてもよい。
【００７４】
また、図８に示すように、装置本体３内の正面を曲面状に形成してこれを配置面とし、撮影ユニット５及びメインパネル７、並びに、落書きパネル９をこの曲面状の配置面に配設するようにしてもよい。この場合も、落書きパネル９を操作する利用者が撮影ユニット５による撮影の邪魔にならないように、撮影ユニット５のカメラの画角外に落書きパネル９が位置するように配設する。
【００７５】
更に、上記した実施形態ではメインパネル７及び落書きパネル９をタッチパネル構成として説明したが、メイン画面領域７１及び両落書き画面領域９１ａ，９１ｂに陰極線管式、液晶ディスプレイ、リアプロジェクション式やその他の方式を採用し、メインパネル７の選択ボタン部７３及び落書きパネル９の落書きツール９３それぞれを、メインパネル７のメイン画面領域７１周辺上及び落書き操作画面領域９１ａ，９１ｂ上に設けられたデジタイザにより構成し、特に落書きパネル９には一対の落書き用タッチペンを接続ケーブルにより接続して設けてもよい。このとき、デジタイザとしては、赤外線方式、容量結合方式等、種々の方式が考えられるが、要するに可視光に対する透過性があり、タッチペンとの組合せによって使用できるものであって、複数の入力を識別することができるものであればどのような方式のものであってもよい。
【図面の簡単な説明】
【００７６】
【図１】本発明の一実施形態における装置の概略構成図である。
【図２】本発明の一実施形態における制御系のブロック図である。
【図３】本発明の一実施形態における動作説明図である。
【図４】本発明の一実施形態における動作説明用フローチャートである。
【図５】本発明の他の実施形態における一部の概略図である。
【図６】本発明の異なる他の実施形態の平面図である。
【図７】本発明の異なる他の実施形態の側面図である。
【図８】本発明の更に異なる他の実施形態における一部の概略図である。
【符号の説明】
【００７７】
１      写真シール払出装置
５ａ    ＣＣＤデジタルカメラ（撮影手段）
７      メインパネル
１５    ＣＰＵ（制御手段）
２５    入力処理部（編集手段）
２７    画像処理部（編集手段）
２９    プリンタ（印刷手段）
９１ａ，９１ｂ    落書き画面領域（表示手段）
９３    落書きツール（入力手段）
【図１】
2005164976.tif 000003
【図２】
2005164976.tif 000004
【図３】
2005164976.tif 000005
【図４】
2005164976.tif 000006
【図５】
2005164976.tif 000007
【図６】
2005164976.tif 000008
【図７】
2005164976.tif 000009
【図８】
2005164976.tif 000010